(57)【要約】      （修正有）【課題】最適な盗難防止効果と自動開閉効果を達成することができる自動開閉するロック構造を提供する。【解決手段】ロックベースと、停止ブロックと、磁性棒と、弾性素子と、電磁バルブと、外蓋と、からなる。停止ブロック、磁性棒、弾性素子、および、電磁バルブはロックベース内に容置され、外蓋はロックベースに固定されると共に、電磁バルブを固定する。電磁バルブにより、磁性棒を電気的に制御して外に弾き、同時に、弾性素子を作用させると、磁性棒と停止ブロックが自動的にロックし、また、電磁バルブにより磁性棒を電気的に制御すると同時に、弾性素子を圧縮すると、磁性棒と停止ブロックを自動的に解除し、構造全体が、ギアベース内に完全に隠蔵できる。【選択図】図１
0003152176.tif 000002
【実用新案登録請求の範囲】
【請求項１】
自動開閉するロック構造であって、ロックベースと、停止ブロックと、磁性棒と、弾性素子と、電磁バルブと、外蓋と、からなり、
前記ロックベースは容室を有し、前記容室のもう一端は接合部を有し、前記ロックベースの一端は穿孔と停止縁を有し、前記ロックベース外側は停止板を有し、前記停止板と前記ロックベース間は係止槽を有し、
前記停止ブロックは、前記ロックベースの容室に設置され、鞘棒が前記ロックベースの穿孔に対応し、前記停止ブロック外側は抵止端を設置し、中間に螺孔を有し、
前記磁性棒は、前記停止ブロックの螺孔に螺接され、前記磁性棒一端は螺接部を設置し、
前記弾性素子は、前記停止ブロックの抵止端で抵止し、
前記電磁バルブは、磁性棒を被覆し、容置槽を設置し、電線を連接し、
前記外蓋は、前記ロックベースに固設され、前記電磁バルブを固定し、前記外蓋一端は抵止面を有し、前記抵止面中間は凹槽を有し、前記抵止面は緊迫部を延設し、前記外蓋側面は、凹槽を貫通する通孔を有することを特徴とする自動開閉するロック構造。
【請求項２】
前記停止板上に螺孔を有し、前記螺孔は調整ねじを螺接することを特徴とする請求項１に記載の自動開閉するロック構造。
【請求項３】
前記ロックベースの側壁面に凸耳を設置し、前記凸耳は螺孔を有することを特徴とする請求項１に記載の自動開閉するロック構造。
【考案の詳細な説明】
【技術分野】
【０００１】
本考案は、自動開閉するロック構造に関するものであって、特に、構造全体がギアベースに完全に隠蔵され、自動開閉と最適な盗難防止効果を達成するロック構造に関するものである。
【背景技術】
【０００２】
一般のロック構造は、多くがキーによりロック、解除動作を行うので、キー挿入孔を有する。ロック本体内に、キー挿入孔内に伸設する複数の係止鞘を設置し、係止鞘の伸出する長さが異なるので、適合するキー上に、これらの係止鞘位置に適合する嵌孔を設置する。一般のロック構造は、キーをロック内のキー挿入孔に挿入し、係止鞘を頂推して、ロックを回転させると共に、伝動機構を連動させて、ロックと解除を行うことができる。しかし、泥棒は、キー挿入孔に片状素子を挿入して、内部の係止鞘を推して、ロックを解除することができるので、このようなロック構造の盗難防止効果は効果的ではない。
【考案の概要】
【考案が解決しようとする課題】
【０００３】
本考案の目的は、ギアベース内に完全に隠蔵でき、最適な盗難防止効果と自動開閉効果を達成するロック構造を提供することである。
【課題を解決するための手段】
【０００４】
上述の目的と達成するため、本考案のロック構造は、ロックベースと、停止ブロックと、磁性棒と、弾性素子と、電磁バルブと、外蓋と、からなる。
ロックベースは容室を有し、容室のもう一端は接合部を有し、ロックベースの一端は穿孔と停止縁を有する。ロックベース外側は停止板を有し、停止板とロックベース間は係止槽を有する。
停止ブロックは、ロックベースの容室に設置され、鞘棒がロックベースの穿孔に対応し、停止ブロック外側は抵止端を設置し、中間に螺孔を有する。
磁性棒は、停止ブロックの螺孔に螺接され、磁性棒一端は螺接部を設置する。
弾性素子は、停止ブロックの抵止端で抵止する。
電磁バルブは、磁性棒を被覆し、容置槽を設置し、電線を連接する。
外蓋は、ロックベースに固設され、電磁バルブを固定し、外蓋一端は抵止面を有し、抵止面中間は凹槽を有し、抵止面は緊迫部を延設し、外蓋側面は、凹槽を貫通する通孔を有する。
【考案の効果】
【０００５】
本考案のロック構造は、ギアベース内に完全に隠蔵でき、最適な盗難防止効果と自動開閉効果を達成することができる。
【図面の簡単な説明】
【０００６】
【図１】本考案の立体分解図である。
【図２】本考案の立体組み合わせ図である。
【図３】本考案のロック時の断面図である。
【図４】本考案のロック解除時の断面図である。
【実施例１】
【０００７】
図１で示されるように、本考案は、ロックベース１と、停止ブロック３と、磁性棒４と、弾性素子５と、電磁バルブ６と、外蓋７と、からなる。
ロックベース１は容室１０を有し、容室１０のもう一端は接合部１１を有し、ロックベース１の一端は穿孔１２と停止縁１３を有する。ロックベース１外側は停止板１４を有し、停止板１４上に、螺孔１５を有し、螺孔１５は調整ねじ２を螺接する。停止板１４とロックベース１間は係止槽１６を有する。ロックベース１の側壁面に凸耳１７を設置し、凸耳１７は二螺孔１８を有する。
停止ブロック３は、ロックベース１の容室１０に設置され、鞘棒３０がロックベース１の穿孔１２に対応し、停止ブロック３外側は抵止端３１を設置し、停止ブロック３中間に螺孔３２を有する。
磁性棒４は、停止ブロック３の螺孔３２に螺接され、磁性棒４一端は螺接部４０を設置する。
弾性素子５は、停止ブロック３の抵止端３１で抵止する。
電磁バルブ６は、磁性棒４を被覆し、電磁バルブ６内に容置槽６０を設置し、電線６１を連接する。
外蓋７は、ロックベース１に固設され、電磁バルブ６を固定し、外蓋７一端は抵止面７０を有し、抵止面７０中間は凹槽７１を有し、抵止面７０は緊迫部７２を延設し、外蓋７側面は、凹槽７１を貫通する通孔７３を有する。
組み立ては、図１から図３を参照し、まず、磁性棒４を停止ブロック３の螺孔３２に螺接し、弾性素子５の一端を停止ブロック３の抵止端３１に抵止させる。電磁バルブ６の容置槽６０が磁性棒４を被覆し、その後、外蓋７の凹槽７１が電磁バルブ６に対応して固定され、弾性素子５のもう一端が外蓋７の抵止面７０で抵止する。停止ブロック３、磁性棒４、弾性素子５、および、電磁バルブ６をロックベース１の容室１０内に容置する。電磁バルブ６の電線６１は外蓋７の通孔７３を通過し、電線６１は車両の盗難防止システムに連接されるか、センサー功能を有する車両ホストに連接され、最後に、外蓋７の緊迫部７２がロックベース１の接合部１１に対応し、ゲルで固定されて、組み立てが完成する。
本考案のロック構造は、ギアベース内に組設使用され、図１と図３で示されるように、ロックしたいとき、使用者はギア棒をP位置に入れ、ギアスライドブロック８をロックベース１の係止層１６に移動し、ギアスライドブロック８の穿孔８０がロックベース１の穿孔１２に対応し、停止板１４の螺孔１５は調整ねじ２を螺接して、ギアスライドブロック８の脱落を防止し、緊密度を調整する。更に、リモコンによりロック信号を発射して、車両の盗難防止システムに伝送したり、センサー功能がある車両ホストにより使用者のセンサーに感応させたりし、電磁バルブ６が、磁性棒４を外に弾くよう電気的に制御し、電磁バルブ６の容置槽６０から伸出し、同時に、弾性素子５を作用させて、磁性棒４と停止ブロック３を自動ロックさせ、停止ブロック３がロックベース１の停止縁１３で停止する。停止ブロック３の鞘棒３０は、ロックベース１の穿孔１２、および、ギアスライドブロック８の穿孔８０に対応置入し、自動ロックを達成し、ギア棒が操作できなくなり、ロックの動作が完成する。
ロックを解除したいとき、図１と図４で示されるように、リモコンによりロック解除信号を発射して、車両の盗難防止システムに伝送したり、センサー功能がある車両ホストにより使用者のセンサーに感応させたりし、電磁バルブ６が磁性棒４制御して、電磁バルブ６の容置槽６０内に吸着し、同時に、弾性素子５を圧縮させて、磁性棒４と停止ブロック３の自動ロック解除を機能させ、停止ブロック３がロックベース１の停止縁１３で停止せず、停止ブロック３の鞘棒３０がギアスライドブロック８の穿孔８０に置入せず、自動解除を達成し、使用者はギア棒を操作することができ、これで、ロック解除動作が完成し、構造全体がギアベース内に隠蔵でき、泥棒がギアロックを破壊するのを防止し、自動開閉と最適な盗難防止効果を達成する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
1  ロックベース
10  容室                     
11  接合部
12  穿孔                     
13  停止縁
14  停止板                    
15  螺孔
16  係止槽                   
17  凸耳
18  螺孔
2   調整ねじ
3   停止ブロック
30  鞘棒                     
31  抵止端
32  螺孔
4   磁性棒
40  螺接部
5   弾性素子
6   電磁バルブ
60  容置槽                   
61  電線
7   外蓋
70  抵止面                   
71  凹槽
72  緊迫部                   
73  通孔
8   ギアスライドブロック
80  穿孔
【図１】
0003152176.tif 000003
【図２】
0003152176.tif 000004
【図３】
0003152176.tif 000005
【図４】
0003152176.tif 000006